(57)【要約】【課題】操作の間違いが生じないようにシーケンスを制御することができる記録装置の提供。【解決手段】デジタルカメラ１４、カメラ付き携帯電話機１５等の撮影機器、メディア１３から読み取った画像データをＣＤ−Ｒ等の記録媒体に書き込む記録装置に設けた制御手段において、料金受領手段による料金の受領が完了するまでは、ＣＤ−Ｒドライブ８へのＣＤ−Ｒの装填を禁止したり、画像データ記録手段による画像データの記録が完了し所定時間経過後、画像データが記録されたＣＤ−ＲをＣＤ−Ｒ装填部から排出したり、画像データ記録手段による画像データの記録が完了したＣＤ−ＲをＣＤ−Ｒ装填部から排出後、所定時間経過後に、ＣＤ−Ｒ装填部を収納する等のシーケンス制御が行われるため、顧客の操作の間違いによる不具合を未然に防止することができ、使い勝手のよい記録装置を提供することができる。【選択図】図１
2004326876.tif 000002
【特許請求の範囲】
【請求項１】
顧客によって入力された画像データを、リムーバブルなコンピュータ読取可能な記録媒体に記録する記録装置において、
該記録にかかる料金を受領する料金受領手段と、
前記リムーバブルなコンピュータ読取可能な記録媒体を装填する記録媒体装填部とを有し、
前記料金受領手段による料金の受領が完了するまでは、前記記録媒体装填部への前記リムーバブルなコンピュータ読取可能な記録媒体の装填を禁止するように制御する制御手段と、
を有すること特徴とする記録装置。
【請求項２】
顧客によって入力された画像データを、リムーバブルなコンピュータ読取可能な記録媒体に記録する記録装置において、
前記リムーバブルなコンピュータ読取可能な記録媒体を装填する記録媒体装填部を有し、
前記リムーバブルなコンピュータ読取可能な記録媒体に前記画像データを記録する画像データ記録手段と、
前記画像データ記録手段による前記画像データの記録が完了した前記リムーバブルなコンピュータ読取可能な記録媒体を前記記録媒体装填部から排出後、所定時間経過後に、前記記録媒体装填部を収納するように制御する制御手段と、
を有することを特徴とする記録装置。
【請求項３】
前記制御手段は、前記記録媒体の前記記録媒体装填部からの取り出しを認識した後、前記記録媒体装填部を収納するように制御すること特徴とする請求項２記載の記録装置。
【発明の詳細な説明】
【０００１】
【発明の属する技術分野】
本発明は、データの記録装置に関し、特に、デジタルカメラやカメラ付携帯電話機等の撮影機器、該機器に装着される各種メディアに記録された画像データをＣＤ−Ｒ等の記録媒体に記録する記録装置に関する。
【０００２】
【従来の技術】
近年、デジタルカメラやカメラ付携帯電話機などの撮影機器の普及に伴い、写真画像をデジタルデータとして利用する顧客が増えている。デジタルカメラやカメラ付携帯電話機では、機器に内蔵された記憶手段や機器に着脱可能な各種メディア等に写真画像を記録しておき、機器の表示手段を用いて写真画像を閲覧することができるが、写真画像のデータサイズは大きく、一方機器に内蔵された記憶手段やメディアの記憶容量はあまり大きくないため、頻繁に写真を撮影する顧客は写真の画像データを別の記憶手段に記憶しておく必要がある。
【０００３】
ここで、パソコン操作に慣れた顧客の場合は、デジタルカメラに装着される各種メディアをパソコンのスロットに挿入して画像データを読み込んだり、デジタルカメラやカメラ付携帯電話機をパソコンに接続して撮影した写真の画像データをパソコンに転送する等の方法により、パソコン内に画像データを蓄積し、パソコンに予めインストールされている画像表示アプリケーションを用いて画像データを表示、閲覧している。
【０００４】
しかしながら、パソコン操作に不慣れな顧客にとってはデジタルカメラやカメラ付携帯電話機、各種メディアから画像データを読み取る操作は簡単ではない。そこで、パソコンを用いずに写真の画像データをバックアップする方法が望まれており、例えば、特開平１４−１８５８９６号公報には、デジタルカメラで撮影した写真の画像データをより簡単にバックアップすることができるデータ処理サービス方法及びそのシステムが開示されている。
【０００５】
上記公報によれば、小型、軽量のデジタルカメラに付属する又は内蔵する記録メディアの容量は小さいため、高画質モードで撮影した画像はたかだか１０枚程度しか撮影できず、また、記録メディアは高価であるために予備の記録メディアを何枚も購入できないという問題に対し、店舗に設置されるサービス端末を用いて、顧客のデジタルカメラのメモリに記憶されている撮影画像データを顧客がアクセスできる記録媒体に保存する方法が示されている。
【０００６】
【特許文献１】
特開平１４−１８５８９６号公報（第３−７頁、第１図）
【０００７】
【発明が解決しようとする課題】
上記公報記載の方法により、比較的撮影枚数の少ない小型、軽量のデジタルカメラを利用しても、サービス端末が設置されている店舗にデジタルカメラを持っていくことにより、高価なメディアを購入することなくデジタルカメラの画像データを保存することができ、撮影データ容量や保存、印刷の手間を考えずに、小型、軽量のデジタルカメラを利用することができる。
【０００８】
しかしながら、上述した公報記載のサービス端末等の記録装置では、画像データの読み込みから記録媒体への書き込みまでの一連の処理に対して、顧客が予め定められた手順に従って操作することを前提にしているが、顧客が間違った手順で操作してしまうと画像データの記録に失敗する場合がある。特に、このような装置の操作に不慣れな顧客の場合は、操作の手順がモニタ等の表示手段に記載されていても、その操作が複雑であると手順を間違ってしまう場合があり、また、顧客によっては記録装置が停止してしまった場合にどのように対処してよいのか分からず、余分な操作をしてしまう場合もあり、記録装置が故障してしまう原因となる場合もある。
【０００９】
このように、画像データを記録媒体に記録する記録装置は、顧客がある程度の操作を行わなければならず、操作を間違ってしまう場合が起こり得るものであり、特に不特定多数の顧客が使用する機器の場合はそのような事態が起こりやすい。そして、記録装置自体に操作の間違いを防止するような制御機能がないと記録装置の利用が敬遠されてしまい、その結果フォトサービスの利用促進が図れなくなってしまう。
【００１０】
本発明は、上記問題点に鑑みてなされたものであって、その主たる目的は、操作の間違いが生じないようにシーケンスを制御することができる記録装置を提供することにある。
【００１１】
【問題を解決するための手段】
上記目的を達成するため、本発明の記録装置は、顧客によって入力された画像データを、リムーバブルなコンピュータ読取可能な記録媒体に記録する記録装置において、該記録にかかる料金を受領する料金受領手段と、前記リムーバブルなコンピュータ読取可能な記録媒体を装填する記録媒体装填部とを有し、前記料金受領手段による料金の受領が完了するまでは、前記記録媒体装填部への前記リムーバブルなコンピュータ読取可能な記録媒体の装填を禁止するように制御する制御手段と、を有するものである。
【００１２】
また、本発明の記録装置は、顧客によって入力された画像データを、リムーバブルなコンピュータ読取可能な記録媒体に記録する記録装置において、前記リムーバブルなコンピュータ読取可能な記録媒体を装填する記録媒体装填部を有し、前記リムーバブルなコンピュータ読取可能な記録媒体に前記画像データを記録する画像データ記録手段と、前記画像データ記録手段による前記画像データの記録が完了した前記リムーバブルなコンピュータ読取可能な記録媒体を前記記録媒体装填部から排出後、所定時間経過後に、前記記録媒体装填部を収納するように制御する制御手段と、を有するものである。
【００１３】
本発明においては、前記制御手段は、前記記録媒体の前記記録媒体装填部からの取り出しを認識した後、前記記録媒体装填部を収納するように制御する構成とすることができる。
【００１４】
このように、本発明の記録装置によれば、記録装置を用いて画像データの記録等の様々な処理を行う際に、画像データの記録にかかる料金の受領から記録媒体装填部へのＣＤ−Ｒ等の記録媒体の装填までのシーケンスや、画像データの記録完了から記録媒体装填部からの記録媒体の排出、記録媒体装填部の収納までのシーケンス等が制御手段によって自動的に制御されるため、顧客は操作を間違うことなく安心して記録装置を利用することができる。
【００１５】
【発明の実施の形態】
本発明に係る記録装置は、その好ましい一実施の形態において、デジタルカメラ、カメラ付き携帯電話機等の撮影機器、デジタルカメラ用メディアから読み取った画像データをＣＤ−Ｒ等の記録媒体に書き込む記録装置に設けた制御手段において、料金受領手段による料金の受領が完了するまでは、記録媒体装填部への記録媒体の装填を禁止したり、画像データ記録手段による画像データの記録が完了し所定時間経過後、画像データが記録された記録媒体を記録媒体装填部から排出したり、画像データ記録手段による画像データの記録が完了した記録媒体を記録媒体装填部から排出後、所定時間経過後に、記録媒体装填部を収納する等のシーケンス制御が行われるため、顧客の操作の間違いによる不具合を未然に防止することができ、使い勝手のよい記録装置を提供することができる。
【００１６】
【実施例】
上記した本発明の実施の形態についてさらに詳細に説明すべく、本発明の実施例について図面を参照して説明する。
【００１７】
［実施例１］
まず、本発明の第１の実施例に係る記録装置について、図１乃至図４を参照して説明する。図１は、第１の実施例に係る記録装置の外観構成を示す図であり、図２は、記録装置の構成を示すブロック図である。また、図３は、記録装置の機能を示すブロック図であり、図４は、画像データの記録手順を示すフローチャート図である。
【００１８】
図１及び図２（ａ）に示すように、本実施例の記録装置１は、スマートメディア、コンパクトフラッシュ（登録商標）、メモリースティック（登録商標）、ＳＤメモリーカード、マルチメディアカードなどの写真の画像データが記録された記録媒体（以下、画像データを書き込む記録媒体と区別するために便宜的にメディア１３と呼ぶ。）を挿入するメディアスロット２、写真を撮影したデジタルカメラ１４やカメラ付き携帯電話機１５等の撮影機器（以下、カメラ機能を備えたデジタル機器を撮影機器と呼ぶ。）を接続する接続端子１１、ＣＤ−Ｒ等の記録媒体１６に読み取った画像データを記録するためのＣＤ−Ｒドライブ８等の記録媒体装填部、タイマー等の計時手段１７、画像データの記録に際して必要な情報の表示や入力を行う表示部９及び操作部１０、読み取った画像データ等を記憶するメモリ（記憶部４ａ）及びＨＤＤ（記憶部４ｂ）等の記憶部４、必要に応じて、撮影機器や他の装置、端末とＬＡＮ接続（有線、無線を問わない）するためのネットワーク接続手段１２、これらの手段を制御するＣＰＵ等の制御手段３を備え、これらが直接又はＵＳＢポート６等を介してマザーボード７に接続されている。
【００１９】
なお、図１では、メディアスロット２は各種メディア１３が装着可能なオールインワンのスロットを一つ設ける構成としているが、各々のメディア１３に対応するスロットを別々に設ける構成としてもよく、オールインワンのスロットを複数設ける構成としてもよい。また、以下では記録媒体１６としてＣＤ−Ｒを用いるが、記録媒体１６はＣＤ−Ｒに限らず、データサイズの大きい画像データを記録することができる汎用的な媒体、例えば、ＤＶＤ−ＲやＭＯ等を用いてもよい。また、表示部９は、図１では記録装置１本体と一体化した構成としているが、着脱可能に構成されていてもよく、表示部９を利用せずに外部に設けた表示手段（レジや端末のディスプレイ等）に情報を表示する構成としてもよい。
【００２０】
この記録装置１を機能で示すと図３に示すようになり、ＣＰＵ等の制御手段３、表示部９、操作部１０、メディアスロット２や接続端子１１等の画像データ読み取り手段１８、ＣＤ−Ｒドライブ８等の記録媒体装填部を含む画像データ記録手段１９、メモリ４ａやＨＤＤ４ｂ等の記憶手段４、タイマー等の計時手段１７等を備え、制御手段３は上記他の各手段の制御を行う。
【００２１】
上記構成の記録装置１を用いて、記録媒体１６に画像データを記録する一般的な手順について、図４のフローチャート図を参照して説明する。なお、以下では顧客がメディア１３を持ち込んだ場合について説明するが、デジタルカメラ１４やカメラ付き携帯電話機１５等の撮影機器を持ち込んだ場合も同様に適用することができ、接続端子１１にこれらの撮影機器を接続すると、記録装置１の機能により撮影機器を認識することができ、撮影機器内部の記憶手段に記憶された画像データを読み出すことができる。また、以下の手順は１枚のメディア１３の画像データを１枚のＣＤ−Ｒに記録する方法であるが、複数のメディア１３から１枚のＣＤ−Ｒに記録したり、１枚のメディア１３から複数のＣＤ−Ｒに記録したり、これらを組み合わせたものであってもよく、その場合にはメディア１３やＣＤ−Ｒの枚数を入力する等のステップを追加すればよい。
【００２２】
まず、ステップＳ１０１で、ＣＰＵはメディアスロット２にメディア１３がセットされたかを検知する。検知方法としては、メディア１３がメディアスロット２に挿入され、メディアスロット２がメディア１３にアクセス可能な状態になるとメディアスロット２からメディア１３のセット信号が送出されるため、ＣＰＵはこの信号を受信してメディアスロット２にメディア１３があることを検知することができる。
【００２３】
次に、ステップＳ１０２で、ＣＰＵはメディア１３に画像データが記録されているかを調べ、記録されている場合は、ステップＳ１０４で、表示部９に画像を表示するか否かを選択する画面を表示する。また、メディア１３内に画像データが記録されていない場合には、ステップＳ１０３で表示部９に例えば「画像がありません」等のメッセージを表示し、ステップＳ１０１に戻ってメディア１３の検知を行う。なお、画像データがない場合のメッセージ表示や画像データを表示するか否かの選択ステップは省略してもよい。
【００２４】
次に、ステップＳ１０４で画像を表示する場合には、ＣＰＵはメディア１３から読み取った画像データを表示部９に送り、ステップＳ１０５で表示部９は一覧形式で画像を表示する。そして、ステップＳ１０６で、顧客が操作部１０を用いて画像を選択すると、ステップＳ１０７で、選択した画像データがＣＰＵから記憶部４に記憶される。また、ステップＳ１０４で画像を表示しない場合は、ステップＳ１０７でメディア１３に記録された全ての画像データが記憶部４に記憶される。なお、ステップＳ１０１でメディア１３を検知したら、ステップＳ１０７にスキップしてメディア１３内に記録されている全ての画像データを記憶部４に記憶する構成としてもよい。
【００２５】
次に、ステップＳ１０８で、表示部９上にＣＤ−ＲをＣＤ−Ｒドライブ８にセットすることを求めるＣＤ−Ｒセット要求画面を表示し、顧客は画面の指示に従ってＣＤ−Ｒドライブ８にＣＤ−Ｒをセットする。なお、本実施例の記録装置１には画像データの記録に対する料金を徴収する手段を設けていないため、ＣＤ−Ｒドライブ８にセットするＣＤ−Ｒは記録装置１を設置する店舗で購入されたものであることが好ましく、正規に購入したＣＤ−Ｒに認証キー等を書き込んでおき、正規に購入していないＣＤ−Ｒ（例えば、顧客が持ち込んだＣＤ−Ｒ等）と識別できるようにすることもできる。また、ＣＤ−Ｒドライブ８の開閉は、通常、ＣＤ−Ｒドライブ８自体を押し込んだり側部に設けたボタン等を押すことによって行われるが、操作ミスや無理な操作を防止するために表示部９上にＣＤ−Ｒドライブ８の開閉を指示する画面を表示し、タッチパネル等を用いて画面上でＣＤ−Ｒドライブ８の開閉を操作できるようにしてもよい。
【００２６】
そして、ＣＤ−Ｒが書き込み可能な状態になると、ＣＤ−Ｒドライブ８からＣＰＵにＣＤ−Ｒのセット信号が送られ、ステップＳ１０９で、ＣＰＵは記憶部４に記憶された画像データをＣＤ−Ｒドライブ８に送り、ＣＤ−Ｒへの書き込みを行う。なお、予めＣＤ−Ｒドライブ８にＣＤ−Ｒがセットされている場合（例えば、ステップＳ１０１でメディア１３を挿入するときにＣＤ−Ｒの挿入も行った場合等）は、ＣＤ−Ｒセット要求画面の表示を省略し、ＣＰＵは直ちにステップＳ１０９の書き込みを開始してもよい。そして、書き込みが完了するとＣＤ−Ｒドライブ８はＣＰＵに書き込み終了信号を送る。
【００２７】
ここで、従来の記録装置１の場合は、画像データの記録が完了したら顧客自らがＣＤ−Ｒドライブ８を操作し、画像データが記録されたＣＤ−Ｒの取り出しを行っていたが、画像データの記録には一定の時間を要し、どの時点で記録が完了したかが判断しにくく、画像データの記録が完了するまで記録装置１を監視するのは煩雑である。また、画像データの記録が完了していないのに顧客がＣＤ−Ｒドライブ８を勝手に操作してしまうと記録装置１が故障する原因ともなる。
【００２８】
そこで、本実施例の記録装置１では、画像データの記録完了を検出し、記録が完了したらＣＤ−Ｒの取り出しができるようにＣＤ−Ｒドライブ８の動作を制御している。具体的には、ステップＳ１１０で、ＣＰＵは書き込み終了信号を受信したら計時手段１７を用いて画像データの記録が完了してからの時間を計時し、予め定められた所定の時間が経過したかを判断する。そして所定の時間が経過したら、ステップＳ１１１で、ＣＰＵはＣＤ−Ｒドライブ８に画像データを記録したＣＤ−Ｒを排出する信号を送信し、ＣＤ−Ｒドライブ８はこの信号を受信してＣＤ−Ｒドライブ８のＣＤ−Ｒ装填部を押し出し、ＣＤ−Ｒを取り出し可能な状態にする。
【００２９】
ここで、従来の記録装置１の場合は、顧客がＣＤ−Ｒを取り出したら顧客自らがＣＤ−Ｒドライブ８を操作し、ＣＤ−Ｒ装填部を収納する操作を行っていたが、顧客によっては、ＣＤ−Ｒを取り出したら操作が終了したものと思って立ち去ってしまい、ＣＤ−Ｒ装填部が突出した状態で放置されてしまう場合もあり、記録装置１が故障する原因ともなる。
【００３０】
そこで、本実施例の記録装置１では、ＣＤ−Ｒを排出したら自動的にＣＤ−Ｒ装填部が収納されるようにＣＤ−Ｒドライブ８の動作を制御している。具体的には、ステップＳ１１２で、ＣＰＵは計時手段１７を用いてＣＤ−Ｒが取り出し可能な状態になってからの時間を計時し、予め定められた所定の時間が経過したかを判断する。そして所定の時間が経過したら、ステップＳ１１３で、ＣＰＵはＣＤ−Ｒドライブ８にＣＤ−Ｒ装填部を収納する信号を送信し、ＣＤ−Ｒドライブ８はこの信号を受信してＣＤ−Ｒ装填部を収納し、一連の記録処理を終了する。なお、記録装置１にＣＤ−Ｒの取り出しを検出する手段を設けておき、ＣＰＵは該検出手段によってＣＤ−Ｒの取り出しを認識した後、ＣＤ−Ｒ装填部を収納する構成とすることもできる。
【００３１】
このように、画像データ記録後のＣＤ−Ｒドライブ８の動作が制御手段３によって自動的に制御されるため、顧客は自ら画像データの記録後にＣＤ−Ｒドライブ８の開閉操作を行う必要がなくなり、記録完了前にＣＤ−Ｒを取り出そうとしたり、ＣＤ−Ｒ取り出し後にＣＤ−Ｒ装填部を開放したまま放置する等の操作の間違いによる不具合の発生を防止することができる。なお、ステップＳ１０１からＳ１１３までの処理は一般的な記録処理を例示したものであり、その順序や各ステップの処理は上記説明に限定されるものではない。
【００３２】
以上の説明は、記録装置１の各手段を動作させるＯＳとしてウィンドウズ（登録商標）を用いる場合の一般的な構成における動作であるが、この構成ではメディアスロット２でメディア１３から読み取った画像データはメモリ（記憶部４ａ）に取り込まれた後、ＨＤＤ（記憶部４ｂ）で一時保管されるため、ＨＤＤにアクセスする回数が多くなり、多数のメディア１３から多数の画像データを読み込む場合には処理に時間がかかる。そのような場合には、リアルタイム性を重視して設計されたＯＳであるＴＲＯＮ（Ｔｈｅ  Ｒｅａｌ−ｔｉｍｅ  Ｏｐｅｒａｔｉｎｇ  ｓｙｓｔｅｍ  Ｎｕｃｌｅｕｓ）の一つである組込み用ＴＲＯＮ（ＩＴＲＯＮ）を用いることもできる。
【００３３】
このＩＴＲＯＮはきわめて小さい容量で構成することができるという特徴があり、ウィンドウズ（登録商標）のように大容量のＨＤＤを必要としない。例えば、ＩＴＲＯＮを用いた場合のシステム構成は図２（ｂ）に示すようになり、記憶部はメモリ（記憶部５ａ）の他に、ＯＳやアプリケーションを記憶するためのＲＯＭ（記憶部５ｂ）とメディア１３内の画像データを一括して記憶できる容量のＲＡＭ（記憶部５ｃ）とで構成され、記憶部５ｂ、５ｃによりＯＳやアプリケーションの動作、画像データの書き込み／読み出し動作の高速化を図ることができる。なお、本発明の記録装置１は、図２（ａ）、（ｂ）のいずれの構成でも動作させることはできるが、より高速動作が求められる場合には図２（ｂ）のＩＴＲＯＮをＯＳとして用いる構成の方が好ましいと言える。
【００３４】
［実施例２］
次に、本発明の第２の実施例に係る記録装置について、図５乃至図８を参照して説明する。図５は、第２の実施例に係る記録装置の外観を示す図であり、図６は、本実施例に係る記録装置の機能を示すブロック図である。また、図７は、画像データの記録手順を示すフローチャート図であり、図８は、記録装置を含む記録システムの構成例を示す図である。なお、本実施例は、画像データの記録にかかる料金を受領する場合の制御に関するものである。
【００３５】
図５に示すように、本実施例の記録装置１は、第１の実施例に示したメディアスロット２や接続端子１１、ＣＤ−Ｒドライブ８、表示部９、操作部１０に加え、画像データの記録にかかる料金を支払うための料金投入口２０及び画像データを記録したＣＤ−Ｒを取り出し可能に排出するためのＣＤ−Ｒ排出口２６を備えている。なお、図５では記録装置１に料金を受領する手段を設けているため、前記した第１の実施例よりも大型の装置としているが、図１の形態の記録装置１で料金の受領を実現できる場合は大型の装置とする必要はなく、カード決裁等を用いることによって装置の小型化を実現してもよい。
【００３６】
本実施例の記録装置１を機能で示すと図６に示すようになり、ＣＰＵ等の制御手段３、表示部９、操作部１０、メディアスロット２や接続端子１１等の画像データ読み取り手段１８、ＣＤ−Ｒドライブ８等の記録媒体装填部を含む画像データ記録手段１９、メモリ４ａやＨＤＤ４ｂ等の記憶手段４に加えて、画像データの記録にかかる料金を受領する料金受領手段２１等を備え、制御手段３は上記他の各手段の制御を行う。
【００３７】
上記構成の記録装置１を用いて、記録媒体１６に画像データを記録する一般的な手順について、図７のフローチャート図を参照して説明する。
【００３８】
まず、第１の実施例と同様にステップＳ２０１でメディア１３の検出を行い、ステップＳ２０２でセットされたメディア１３に画像データが記録されているかを調べ、記録されていない場合には、ステップＳ２０３で表示部９に警告のメッセージを表示する。また、画像データが記録されている場合は、ステップＳ２０４で表示部９に画像を表示するか否かを選択する画面を表示し、画像を表示する場合には、ＣＰＵはメディア１３から読み取った画像データを表示部９に送り、ステップＳ２０５で表示部９は一覧形式で画像を表示する。そして、ステップＳ２０６で、顧客が操作部１０を用いて画像を選択すると、ステップＳ２０７で、選択した画像データがＣＰＵから記憶部４に記憶される。なお、ステップＳ２０３のメッセージ表示やステップＳ２０４の画像を表示するかの選択、ステップＳ２０５の一括画像表示、ステップＳ２０６の画像選択等は省略してもよい。
【００３９】
次に、本実施例の場合は、記録装置１内で画像データの記録にかかる料金を徴収するように構成されているため、ステップＳ２０８で、料金の徴収を求める料金徴収画面を表示する。ここで第１の実施例ではＣＤ−Ｒのセット画面を表示したが、画像データの記録にかかる料金が支払われていない状態でＣＤ−Ｒドライブ８にＣＤ−Ｒが装填可能となるのは不都合である。
【００４０】
そこで、本実施例では、ステップＳ２０９で、ＣＰＵは料金受領手段２１を用いて画像データの記録にかかる料金を受領したかを判断し、料金を受領したことを確認したら、ステップＳ２１０でＣＤ−Ｒのセットを求めるＣＤ−Ｒセット要求画面を表示するようにしている。このように料金の受領が完了するまではＣＤ−Ｒの装填ができないようにＣＤ−Ｒドライブ８を制御することにより確実に料金が徴収できるようにしている。なお、料金の支払いは、画像データの数量やデータサイズによって料金が可変することからＣＤ−Ｒに書き込むべき画像データが確定した段階で行うことが好ましいが、画像データの記録に対する料金が画像データの数量やデータサイズによらず一定である場合には、初期段階（例えば、ステップＳ２０１のメディア１３の装着ステップの前）に料金の支払いを求めることもできる。
【００４１】
その後、第１の実施例と同様に、ＣＤ−Ｒが書き込み可能な状態になると、ＣＤ−Ｒドライブ８からＣＰＵにＣＤ−Ｒのセット信号が送られ、ステップＳ２１１でＣＰＵは記憶部４に記憶された画像データをＣＤ−Ｒドライブ８に送り、ＣＤ−Ｒへの書き込みを行う。そして記録が完了したら、ステップＳ２１２でＣＰＵはＣＤ−Ｒドライブ８に画像データを記録したＣＤ−Ｒを排出する信号を送信し、ＣＤ−Ｒドライブ８はこの信号を受信してＣＤ−Ｒドライブ８のＣＤ−Ｒ装填部を押し出し、ＣＤ−Ｒを取り出し可能な状態にして一連の作業を終了する。なお、本実施例においても、画像データの記録が完了してからの経過時間やＣＤ−Ｒを排出してからの経過時間等を監視し、自動的にＣＤ−Ｒ装填部の動作を制御するようにしてもよい。
【００４２】
なお、本実施例のように記録装置１を大型の装置にする場合、装置内にＣＤチェンジャーのような自動装填手段を設けて自動的にＣＤ−Ｒを装填し、書き込みが終了したらＣＤ−Ｒ排出口２６から排出する構成とすることもできるが、ＣＤ−Ｒをむき出しの状態で排出するとＣＤ−Ｒに傷が付く恐れがあり好ましくない。その場合には、記録装置１内にＣＤ−Ｒをケースに装填する手段を設け、顧客がケース有り／無しを表示部９及び操作部１０で選択できるようにしておき、顧客がケース有りを選択したらＣＤ−Ｒ排出口２６からはケースに収納された状態でＣＤ−Ｒを排出する構成とすることができる。更に、記録装置１内に印刷手段を設けておき、ＣＤ−Ｒの表面やケースのジャケットに所定の印刷（例えば、記録する画像や顧客を特定する情報等）を印刷することもできる。
【００４３】
このような制御を行うことにより、顧客に対してスムーズに料金の支払いを求めることができ、料金が支払われていないのに画像データの記録が行われるといった不具合を防止することができる。
【００４４】
なお、上記説明は記録装置１に料金受領手段２１を設けて画像データの記録にかかる料金の支払いを記録装置１に対して直接行う場合であるが、料金受領手段２１を設けると装置が大型化してしまい、また、料金の受領や返却を行うには保安上の措置も必要となり容易に記録装置１を導入することができなくなってしまう。そこで、記録装置１をコンビニエンスストア等の店舗内に設置する場合は、料金の支払いを店舗のカウンター等で行う構成とすることもできる。
【００４５】
その場合は、図８に示すように、第１の実施例で示した卓上型の記録装置１や、本実施例で示した無人端末型の記録装置１と、カウンター２２に設けた画像データを用いたフォトサービスの受付処理を行う注文受付端末２３やレジ（図示せず）等の他の装置とをネットワークで接続し、また、これらの装置をインターネット等の通信ネットワーク２５を介してフォトサービスの管理を行う管理センターサーバ２４に接続する構成とする。
【００４６】
そして、例えば、顧客がレジ等で画像データの記録にかかる料金を支払うと、店舗の係員が注文受付端末２３等を操作して記録装置１に料金を受領したことを示す信号を送信し、ＣＰＵはこの信号を受信したらステップＳ２０９で料金を受領したと判断してＣＤ−Ｒのセット画面を表示するようにしてもよい。このようにネットワークで接続することにより、記録装置１自体に料金受領手段２１や料金返却手段等の精算手段を設ける必要がなくなり、記録装置１の構成を簡略化することができる。
【００４７】
このように記録装置１がネットワークで接続される構成では、記録装置１の情報を他の端末やサーバで確認することができる。そこで、例えば、プログラムの処理経過を示すログを解析して操作状況等の履歴情報を注文受付端末２３や管理センターサーバ２４に送信し、注文受付端末２３や管理センターサーバ２４では該履歴情報を蓄積して分析することにより、どのような操作で間違いが発生しやすいか等の情報を得ることができる。そして、この情報を参照して記録装置１の処理シーケンスを改良することができ、更に使い勝手のよい記録装置１を提供することができる。
【００４８】
なお、上記説明では、画像データを記録する構成としたが、本発明は上記各実施例に限定されるものではなく、任意の媒体、機器に記録された任意のデータを他の記録媒体に記録する装置に適用することができ、例えば、音楽再生機器や該機器用メディアに記録された音楽データを他の記録媒体に記録する記録装置等に適用することができる。
【００４９】
【発明の効果】
以上説明したように、本発明の記録装置によれば、デジタルカメラ、カメラ付き携帯電話機等の撮影機器やメディアに記録された画像データを、記録装置の操作を誤ることなく、確実にＣＤ−Ｒ等の他の記録媒体に記録することができる。
【００５０】
その理由は、記録装置の制御手段では、料金受領手段による料金の受領が完了するまでは、記録媒体装填部（ＣＤ−Ｒ装填部）への記録媒体（ＣＤ−Ｒ）の充填を禁止したり、画像データ記録手段による画像データの記録が完了し所定時間経過後、記録媒体装填部に装填された記録媒体を排出したり、記録媒体を記録媒体装填部から排出後、所定時間経過後に、記録媒体装填部を収納する等のシーケンス制御を行うため、料金を受領する前に記録媒体が装填されたり、画像データの記録が完了する前に記録媒体装填部が操作されたり、記録媒体排出後、記録媒体装填部が開放されたままの状態で放置されるといった不具合を未然に防止することができるからである。
【図面の簡単な説明】
【図１】本発明の第１の実施例に係る記録装置の外観構成を示す図である。
【図２】本発明の第１の実施例に係る記録装置の構成を示すブロック図であり、（ａ）はＯＳとしてウィンドウズ（登録商標）を用いた構成、（ｂ）はＯＳとしてＩＴＲＯＮを用いた構成である。
【図３】本発明の第１の実施例に係る記録装置の機能を示すブロック図である。
【図４】本発明の第１の実施例に係る画像データの記録手順を示すフローチャート図である。
【図５】本発明の第２の実施例に係る記録装置の外観構成を示す図である。
【図６】本発明の第２の実施例に係る記録装置の機能を示すブロック図である。
【図７】本発明の第２の実施例に係る画像データの記録手順を示すフローチャート図である。
【図８】本発明の第２の実施例に係る記録装置を含む記録システムの構成を示す図である。
【符号の説明】
１  記録装置
２  メディアスロット
３  演算処理部
４、４ａ、４ｂ  記憶部
５ａ、５ｂ、５ｃ  記憶部
６  ＵＳＢポート
７  マザーボード
８  ＣＤ−Ｒドライブ
９  表示部
１０  操作部
１１  接続端子
１２  ネットワーク接続部
１３  メディア
１４  デジタルカメラ
１５  カメラ付き携帯電話機
１６  記録媒体
１７  計時手段
１８  画像データ読み取り手段
１９  画像データ記録手段
２０  料金投入口
２１  料金受領手段
２２  カウンター
２３  注文受付端末
２４  管理センターサーバ
２５  通信ネットワーク
２６  ＣＤ−Ｒ排出口
【図１】
2004326876.tif 000003
【図２】
2004326876.tif 000004
【図３】
2004326876.tif 000005
【図４】
2004326876.tif 000006
【図５】
2004326876.tif 000007
【図６】
2004326876.tif 000008
【図７】
2004326876.tif 000009
【図８】
2004326876.tif 000010